(57)【要約】【課題】  吸着対象の反吸着部材側にある追加吸着対象をも確実に吸着できる。【解決手段】  枚葉搬送部１４では、吸着パッド２４から配管３４へ空気が吸引されることで、吸着パッド２４に合紙２０が吸着される。この際に、合紙２０の吸着パッド２４による吸着部分に、吸着パッド２４の穿孔針３０によって貫通孔３６が形成される。このため、合紙２０がもともと空気を通過させないものであっても、貫通孔３６を介して合紙２０を空気が通過でき、これにより、吸着パッド２４が、合紙２０のみならず、合紙２０の下層の印刷版１２をも確実に吸着することができる。したがって、印刷版１２を吸着して持ち上げ搬送するのに必要な吸着力を印刷版１２に発生させることができ、これにより、吸着パッド２４が、印刷版１２を持ち上げることができると共に、印刷版１２を持ち上げ搬送する途中で落下させてしまうことを防止できる。【選択図】      図１
2005138255.tif 000002
【特許請求の範囲】
【請求項１】
流体が吸引されることで吸着対象を吸着する吸着部材と、
前記吸着対象の前記吸着部材による吸着部分に孔を形成することで前記孔を介して前記吸着対象を流体が通過可能になる孔形成手段と、
を備えた吸着装置。
【請求項２】
前記孔形成手段に設けられ、前記吸着対象に当接することで前記孔形成手段が前記吸着対象から突き出ることを抑制する当接部材を備えた、ことを特徴とする請求項１記載の吸着装置。
【請求項３】
前記当接部材は、前記吸着対象への当接面に凹凸を有する、ことを特徴とする請求項２記載の吸着装置。
【発明の詳細な説明】
【技術分野】
【０００１】
本発明は、吸着対象を吸着する吸着装置に関する。
【背景技術】
【０００２】
搬送機構（例えば、特許文献１参照）としては、現在、印刷版と印刷版を保護する合紙とを二重吸着（同時吸着）して持ち上げ（ピックアップ）搬送するものが開発されつつある。このような搬送機構は、例えば吸着パッド（真空吸着パッド）を備えており、吸着パッドが合紙に接触された状態で吸着パッドから空気が吸引されることで、吸着パッドが合紙のみならず合紙を介して印刷版をも吸着する。これにより、吸着パッドが移動されることで、合紙及び印刷版が持ち上げ搬送される構成である。
【０００３】
ここで、このような搬送機構では、合紙がある程度以上の通気性を有していることが大前提であり、これにより、吸着パッドが合紙のみならず印刷版をも吸着できる。
【０００４】
しかしながら、このような搬送機構において、合紙が、ラミネートされたものの如く通気性がない場合や、通気性が極度に悪い場合には、吸着パッドの吸着力が合紙に遮られて印刷版に及び難くなる。このため、吸着パッドにより合紙及び印刷版を二重吸着して持ち上げ搬送しようとしても、印刷版を吸着して持ち上げ搬送するのに必要な吸着力を印刷版に発生させることができなくなり、これにより、吸着パッドが、印刷版を持ち上げることができなくなったり、印刷版を持ち上げ搬送する途中で落下させてしまうという問題がある。
【特許文献１】特開２０００−３５１４６０公報
【発明の開示】
【発明が解決しようとする課題】
【０００５】
本発明は上記事実を考慮し、吸着対象の反吸着部材側にある追加吸着対象をも確実に吸着することができる吸着装置を得ることが目的である。
【課題を解決するための手段】
【０００６】
請求項１に記載の吸着装置は、流体が吸引されることで吸着対象を吸着する吸着部材と、前記吸着対象の前記吸着部材による吸着部分に孔を形成することで前記孔を介して前記吸着対象を流体が通過可能になる孔形成手段と、を備えている。
【０００７】
請求項２に記載の吸着装置は、請求項１に記載の吸着装置において、前記孔形成手段に設けられ、前記吸着対象に当接することで前記孔形成手段が前記吸着対象から突き出ることを抑制する当接部材を備えた、ことを特徴としている。
【０００８】
請求項３に記載の吸着装置は、請求項２に記載の吸着装置において、前記当接部材は、前記吸着対象への当接面に凹凸を有する、ことを特徴としている。
【発明の効果】
【０００９】
請求項１に記載の吸着装置では、吸着部材から流体が吸引されることで、吸着部材が吸着対象を吸着する。
【００１０】
ここで、吸着対象の吸着部材による吸着部分に孔形成手段によって孔が形成されることで、孔を介して吸着対象を流体が通過可能になる。このため、吸着対象がもともと流体を通過させないものであっても、孔を介して吸着対象を流体が通過でき、これにより、吸着部材が、吸着対象のみならず、吸着対象の反吸着部材側にある追加吸着対象をも確実に吸着することができる。
【００１１】
請求項２に記載の吸着装置では、孔形成手段に設けられた当接部材が吸着対象に当接することで、孔形成手段が吸着対象から突き出ることが抑制されるため、孔形成手段が追加吸着対象に損傷を与えることを抑制できる。
【００１２】
請求項３に記載の吸着装置では、当接部材が吸着対象への当接面に凹凸を有するため、吸着部材が吸着対象を吸着する際に当接部材が吸着対象に当接する場合でも、当接部材と吸着対象との間に隙間が存在する。これにより、吸着部材により吸引される吸着対象の面積が当接部材によって減少することを抑制でき、吸着部材の吸着力が当接部材によって弱められることを抑制できる。
【発明を実施するための最良の形態】
【００１３】
図２には、本発明の吸着装置が適用されて構成された実施の形態に係る印刷版自動露光装置１０が側面図にて示されている。
【００１４】
本実施の形態に係る印刷版自動露光装置１０は、追加吸着対象としてのフォトポリプレートやサーマルプレート等の印刷版１２（図３参照）における支持体１２Ａ上の画像記録面１２Ｂ（例えば乳剤面）に画像を露光（記録）するものである。
【００１５】
印刷版自動露光装置１０の後側部位には、枚葉搬送部１４が設けられている。枚葉搬送部１４には、カセット１６が設けられており、カセット１６は、上面が開放された直方体箱状とされて装置設置面に対し平行に配置されると共に、上部における角部にさばき板１８が設けられている。なお、本実施の形態では、カセット１６を一段のみ設けた構成としたが、カセット１６を複数段積み重ねて引き出し式に設けた構成としてもよい。
【００１６】
図３に示す如く、カセット１６には、複数の印刷版１２が収容されており、複数の印刷版１２は、それぞれの画像記録面１２Ｂが下向きとされた状態で積み重ねられている。各印刷版１２の直上には、吸着対象としての薄膜シート状の合紙２０が配設されており、これにより、合紙２０と印刷版１２とが交互に積層されている。合紙２０は印刷版１２と同一サイズとされており、合紙２０によってその上層の印刷版１２の画像記録面１２Ｂが保護されている。
【００１７】
カセット１６の上方には、一対のレール（図示省略）が設けられており、一対のレールは、カセット１６の左右方向両側上方において、前後方向に平行に配置されている。一対のレールにはプレート（図示省略）が架け渡されており、プレートはカセット１６の後端部上方において左右方向に平行に配置されている。プレートは、一対のレールに沿って前後方向へ略水平移動可能とされると共に、基点２２を中心に回動可能とされている。
【００１８】
プレートには、吸着部材としての吸着パッド２４（真空吸着パッド）が複数取り付けられており、複数の吸着パッド２４はカセット１６の左右方向に沿って所定のピッチ間隔で配置されている。複数の吸着パッド２４は基点２２に吊り下げ支持されており、複数の吸着パッド２４は基点２２の真下に配置されている。ここで、複数の吸着パッド２４は、プレートが前後方向へ移動されることで前後方向へ移動可能とされると共に、プレートが回動されることで回動可能とされている。
【００１９】
図１に示す如く、吸着パッド２４の下部には、円錐台筒状の吸着スカート２６（吸盤）が設けられており、吸着スカート２６はゴム製とされて弾性を有している。ここで、吸着パッド２４（吸着スカート２６）は、下端においてカセット１６内の最上層の合紙２０に接触する。
【００２０】
吸着スカート２６の上部には円筒状のベース筒２８（吸盤ベース）の下部が固定されており、ベース筒２８は、側壁の肉厚が厚くされて、内孔の径が小さくされている。また、ベース筒２８の内孔は吸着スカート２６の内孔に連通されている。
【００２１】
ベース筒２８の下面には、孔形成手段としての微細な穿孔針３０の基端（上端）が複数固定されており、複数の穿孔針３０はベース筒２８の下面に略均等に配置されている。各穿孔針３０は、それぞれベース筒２８から下方へ突出しており、先端（下端）が円錐状に尖った形状とされている。
【００２２】
ベース筒２８の下面には、当接部材としての円環板状のストッパ部材３２が固定されており、ストッパ部材３２は、剛性を有する円環板状とされて、内孔がベース筒２８及び吸着スカート２６の内孔に連通されている。ストッパ部材３２には各穿孔針３０が貫通されており、ストッパ部材３２の下面と各穿孔針３０の先端との距離は、合紙２０の肉厚と同一とされている。ストッパ部材３２は、多孔質材料により構成されるか、あるいは、下面が所謂プラス処理または塗装処理等されており、これにより、ストッパ部材３２の下面全体は細かい凹凸を有している。
【００２３】
ベース筒２８の上面には配管３４の一端が固定されており、配管３４は吸着パッド２４（吸着スカート２６、ベース筒２８及びストッパ部材３２の内孔）に連通されている。配管３４の他端は、例えば真空ポンプ等の吸引機構（図示省略）に接続されており、吸引機構が駆動されることで、吸着パッド２４から配管３４へ空気（流体）が吸引されて、吸着パッド２４にカセット１６内の最上層の合紙２０が吸着される。この際、吸着スカート２６が弾性変形することで当該合紙２０に密着され、これにより、吸着パッド２４内への空気の漏れ（リーク）が防止される。
【００２４】
さらに、吸着パッド２４に当該合紙２０が吸着される際には、ストッパ部材３２の下面が当該合紙２０の上面に当接するまで複数の穿孔針３０が下降されることで、各穿孔針３０によって当該合紙２０の吸着パッド２４による吸着部分に孔としての微細な貫通孔３６が形成される。これにより、各貫通孔３６を介して当該合紙２０を空気が通過可能になり、吸着パッド２４の吸着力が各貫通孔３６を介して当該合紙２０の下層（直下）の印刷版１２にも及ぶことで、吸着パッド２４に当該合紙２０及び印刷版１２が対になって二重吸着（同時吸着）される。またこの際には、ストッパ部材３２の下面が当該合紙２０の上面に当接することで、各穿孔針３０が当該合紙２０の下面から突き出ることが抑制される。
【００２５】
また、複数の吸着パッド２４は、複数の系統に分類されており、印刷版１２及び合紙２０のサイズに基づいて、系統を選択して吸着パッド２４に吸着機能を持たせることで、吸着パッド２４が合紙２０及び印刷版１２をバランスよく吸着することができる。
【００２６】
図２には図示しないが、上述の如く吸着パッド２４に最上層の合紙２０及びその下層の印刷版１２が吸着された際には、少なくとも当該合紙２０及び印刷版１２が上記カセット１６のさばき板１８を通過するまで、複数の吸着パッド２４が上方へ上昇されて当該合紙２０及び印刷版１２が持ち上げられる（ピックアップされる）ことで、当該合紙２０及び印刷版１２よりも下層の合紙２０及び印刷版１２が静電気に拘らずさばかれて、合紙２０及び印刷版１２がカセット１６から一対ずつ取り出される（枚葉される）。
【００２７】
その後、プレートが基点２２を中心に図２の反時計回り方向へ回動されつつ一対のレールに沿って前方へ移動されることで、吸着パッド２４の下端（合紙２０及び印刷版１２の吸着点）が所謂サイクロイド曲線を描きながら移動されて、合紙２０及び印刷版１２が搬送される。吸着パッド２４の回動は、プレートが１８０°回動した際に停止され、これにより、合紙２０及び印刷版１２の上部では、下側が合紙２０かつ上側が印刷版１２となる。
【００２８】
枚葉搬送部１４の前方（吸着パッド２４の移動停止位置の前方）には、一対の搬送ローラ４２が設けられている。一対の搬送ローラ４２は上下方向において互いに対向しており、吸着パッド２４の移動によって搬送された合紙２０及び印刷版１２は、一対の搬送ローラ４２間へ受け渡されると共に吸引機構の駆動が停止されて吸着パッド２４への吸着を解除されることで、一対の搬送ローラ４２の駆動力（回転力）によって略前方へ搬送される。
【００２９】
下側の搬送ローラ４２の前方近傍には、巻掛ローラ５６が設けられている。巻掛ローラ５６の前方には一対の案内ローラ４６が設けられており、前側の案内ローラ４６は、後側の案内ローラ４６より下方に配置される（合紙２０及び印刷版１２の搬送面より下側に退避される）と共に、後側の案内ローラ４６と前後方向において互いに対向する位置に移動可能とされている。一対の案内ローラ４６の下方には一対の排出ローラ４８が設けられており、一対の排出ローラ４８は前後方向において互いに対向している。後側の案内ローラ４６と後側の排出ローラ４８との間には一対の小ローラ５０が設けられており、一対の小ローラ５０は互いに離間している。
【００３０】
巻掛ローラ５６、後側の案内ローラ４６、後側の排出ローラ４８及び一対の小ローラ５０には無端帯状のベルト５４が巻き掛けられており、ベルト５４は全体として略Ｌ字状のループを形成して、図２の矢印Ａの方向へ駆動される。これにより、合紙２０及び印刷版１２がベルト５４によって略前方へ搬送される。
【００３１】
前側の案内ローラ４６（逆転ローラ）及び前側の排出ローラ４８には、無端帯状のベルト５２が巻き掛けられており、ベルト５２は図２の矢印Ｆの方向へ駆動される。
【００３２】
合紙２０及び印刷版１２の後端が前側の案内ローラ４６上を通過する直前には、前側の案内ローラ４６が後側の案内ローラ４６と前後方向において互いに対向する位置に移動されることで、合紙２０がベルト５２との摩擦力により一対の案内ローラ４６間に引き込まれる。これにより、合紙２０のみが、図２の鎖線矢印Ｂに沿って、ベルト５２及びベルト５４と共に搬送されて、一対の排出ローラ４８へ送られることで、一対の排出ローラ４８下方の廃棄ボックス（図示省略）へ廃棄される。また、合紙２０が一対の案内ローラ４６間に引き込まれた際には、前側の案内ローラ４６が、後側の案内ローラ４６より下方に移動（退避）される。
【００３３】
一方、合紙２０が剥離された印刷版１２は、引き続きベルト５４によって沿って略前方（図２の矢印Ｃの方向）へ搬送される。
【００３４】
前側の案内ローラ４６の前方には、搬送ガイドユニット７０が設けられており、搬送ガイドユニット７０は、平板状の給版ガイド７２及び排版ガイド７４を有している。給版ガイド７２と排版ガイド７４とは互いの相対位置関係が横Ｖ字型とされており、搬送ガイドユニット７０は後端部を中心として所定角度回動する構造とされている。ここで、ベルト５４によって略前方へ搬送される印刷版１２は、給版ガイド７２上に搬送される。
【００３５】
搬送ガイドユニット７０の前方には、上側においてパンチ部７６が設けられている。ここで、搬送ガイドユニット７０が回動されて給版ガイド７２がパンチ部７６に対応（対向）されることで、給版ガイド７２上の印刷版１２の前端部がパンチ部７６内に搬送されて、パンチ部７６によって印刷版１２の前端部に例えば円孔と長孔等の所定数のパンチ孔（図示省略）が穿孔される。パンチ部７６での処理が終了すると、印刷版１２が給版ガイド７２上へ戻される。
【００３６】
搬送ガイドユニット７０の前方には、下側において露光部７８が設けられている。露光部７８は円柱状の回転ドラム８０を備えており、回転ドラム８０は図２の矢印Ｄ及び矢印Ｅの方向へ回転可能とされている。ここで、パンチ部７６から給版ガイド７２上へ印刷版１２が戻されると、搬送ガイドユニット７０が回動されて給版ガイド７２が露光部７８に対応される（回転ドラム８０の接線方向に対向される）ことで、回転ドラム８０の周面上に印刷版１２の前端が搬送されて、印刷版１２が位置決めされる。
【００３７】
回転ドラム８０の周面には、印刷版１２の前端が搬送される位置において、板状の前端チャック８２が設けられている。前端チャック８２は、回転ドラム８０に回転自在に支持されると共に、前端チャック８２の前側には回転ドラム８０の周面から離間される方向へ弾性力が付与されている。
【００３８】
前端チャック８２の上方には装着ユニット８４が設けられており、装着ユニット８４には伸縮ロッド８４Ａが設けられている。ここで、装着ユニット８４の伸縮ロッド８４Ａが伸長されて前端チャック８２の前側が押圧されることで、前端チャック８２の後端が上記弾性力に抗して回転ドラム８０の周面から離間している。これにより、上述の如く給版ガイド７２から回転ドラム８０の周面上に搬送される印刷版１２の前端が前端チャック８２の後端と回転ドラム８０の周面との間に挿入され、この状態で上記印刷版１２の位置決めが行われる。
【００３９】
また、上記印刷版１２の位置決めが終了した後には、装着ユニット８４の伸縮ロッド８４Ａが引き戻されて前端チャック８２前側の押圧が解除されることで、前端チャック８２の後端が上記弾性力により印刷版１２の前端を回転ドラム８０の周面に押し付けて、回転ドラム８０の周面に印刷版１２の前端が固定される。さらに、回転ドラム８０の周面に印刷版１２の前端が固定されると、回転ドラム８０が図２の矢印Ｄの方向へ回転されて、印刷版１２が回転ドラム８０の周面に巻き付けられる。
【００４０】
回転ドラム８０の周面近傍には、装着ユニット８４よりも図２の矢印Ｄの方向側において、円柱状のスクイズローラ８６が配設されている。スクイズローラ８６は、回転ドラム８０側へ移動されることで、回転ドラム８０に巻き付けられる印刷版１２を回転ドラム８０へ向けて押圧しつつ回転され、印刷版１２を回転ドラム８０の周面に密着させる。
【００４１】
回転ドラム８０の外周近傍には、装着ユニット８４よりも図２の矢印Ｅの方向側において、後端チャック着脱ユニット８８が配設されている。後端チャック着脱ユニット８８には後端チャック９０が保持されており、回転ドラム８０に巻き付けた印刷版１２の後端が後端チャック着脱ユニット８８に対向すると、後端チャック着脱ユニット８８が後端チャック９０を回転ドラム８０側へ移動させて回転ドラム８０の所定の位置に装着すると同時に、後端チャック着脱ユニット８８から後端チャック９０が離脱される。これにより、後端チャック９０が印刷版１２の後端を押し付けて、回転ドラム８０の外周に印刷版１２の後端が固定される。
【００４２】
このように、前端チャック８２及び後端チャック９０によって印刷版１２の前端及び後端が回転ドラム８０に固定されると、後端チャック着脱ユニット８８及びスクイズローラ８６が回転ドラム８０から離間された後に、回転ドラム８０が所定の回転速度で同方向へ高速回転される。
【００４３】
回転ドラム８０周面の後側近傍には、記録ヘッド９２が配設されており、記録ヘッド９２は、高速回転される回転ドラム８０に向け、この回転ドラム８０の回転に同期させて、読み込まれた画像データに基づいて変調した光ビームを照射し、これにより、印刷版１２が画像データに基づいて露光される。この露光処理は、回転ドラム８０を周方向へ高速で回転させながら（主走査）、記録ヘッド９２を回転ドラム８０の軸方向へ移動させる（副走査）、所謂走査露光である。
【００４４】
印刷版１２への走査露光が終了すると、後端チャック９０が後端チャック着脱ユニット８８に対向する位置で回転ドラム８０が一時停止されて後端チャック着脱ユニット８８が回転ドラム８０側へ移動され、後端チャック着脱ユニット８８によって回転ドラム８０から後端チャック９０が取り外されると同時に後端チャック着脱ユニット８８に後端チャック９０が保持されて、後端チャック９０による印刷版１２後端の固定が解除される。その後、後端チャック着脱ユニット８８によって後端チャック９０が回転ドラム８０から離間される。
【００４５】
さらに、搬送ガイドユニット７０が回動されて排版ガイド７４が露光部７８に対応された後（回転ドラム８０の接線方向に対向された後）、回転ドラム８０が図２の矢印Ｅの方向へ回転されることで、印刷版１２が後端側から後方へ搬送されて排版ガイド７４へ排出される。この際、装着ユニット８４の伸縮ロッド８４Ａが伸長されて前端チャック８２の前側が押圧されることで、前端チャック８２の後端による印刷版１２前端の固定が解除される。
【００４６】
また、印刷版１２が排版ガイド７４に送られると、搬送ガイドユニット７０が回動されて、排版ガイド７４から印刷版１２が排出され、これにより、印刷版１２が次工程の現像装置（図示省略）へ搬送される構成である。
【００４７】
次に、本実施の形態の作用を説明する。
【００４８】
以上の構成の印刷版自動露光装置１０では、枚葉搬送部１４のカセット１６内に合紙２０と印刷版１２とが交互に積層されており、最上層の合紙２０に吸着パッド２４下端が接触された状態で吸引機構が駆動されると、吸着パッド２４から配管３４へ空気が吸引されて、吸着パッド２４に当該合紙２０が吸着される。この際、吸着パッド２４の穿孔針３０によって当該合紙２０に貫通孔３６が形成されることで、吸着パッド２４に当該合紙２０の下層の印刷版１２をも吸着される。さらに、吸着パッド２４が上方へ上昇されて当該合紙２０及び印刷版１２が持ち上げられることで、カセット１６のさばき板１８によって当該合紙２０及び印刷版１２よりも下層の合紙２０及び印刷版１２がさばかれて、合紙２０及び印刷版１２がカセット１６から一対ずつ取り出される。
【００４９】
その後、吸着パッド２４が取り付けられたプレートが基点２２を中心に図２の反時計回り方向へ回動されつつ前方へ移動されることで、吸着パッド２４の下端がサイクロイド曲線を描きながら移動されて、吸着パッド２４に吸着された合紙２０及び印刷版１２が搬送される。プレートが１８０°回動された際には、吸着パッド２４の回動が停止されて、合紙２０及び印刷版１２が、一対の搬送ローラ４２間へ受け渡されると共に吸着パッド２４への吸着を解除されることで、一対の搬送ローラ４２更にはベルト５４によって略前方へ搬送される。
【００５０】
ベルト５４によって印刷版１２と共に略前方へ搬送される合紙２０は、ベルト５２との摩擦力により一対の案内ローラ４６間に引き込まれる。これにより、合紙２０のみが、ベルト５２及びベルト５４と共に搬送されて、一対の排出ローラ４８へ送られることで、廃棄ボックスへ廃棄される。
【００５１】
一方、合紙２０が剥離された印刷版１２は、ベルト５４によって略前方へ搬送される。
【００５２】
ベルト５４によって略前方へ搬送される印刷版１２は、搬送ガイドユニット７０の給版ガイド７２に搬送され、搬送ガイドユニット７０が回動されて給版ガイド７２がパンチ部７６に対応されることで、印刷版１２の前端部がパンチ部７６内に搬送される。パンチ部７６内に搬送された印刷版１２は、前端部にパンチ部７６により所定数のパンチ孔が穿孔された後、給版ガイド７２上に戻される。
【００５３】
さらに、搬送ガイドユニット７０が回動されて給版ガイド７２が露光部７８の回転ドラム８０に対応されることで、印刷版１２が回転ドラム８０へ搬送されて、位置決めされる。位置決めされた印刷版１２は、前端と後端とがそれぞれ前端チャック８２と後端チャック９０とによって回転ドラム８０の周面に固定されると共にスクイズローラ８６によって回転ドラム８０の周面に密着されつつ、回転ドラム８０の周面に巻き付けられる。回転ドラム８０の周面に印刷版１２が巻き付けられると、回転ドラム８０が高速回転された状態で、記録ヘッド９２から光ビームが印刷版１２へ照射されることで、露光処理が行われる。
【００５４】
露光処理が終了すると、搬送ガイドユニット７０が回動されて排版ガイド７４が回転ドラム８０へ対応されると共に、前端チャック８２及び後端チャック９０による印刷版１２の回転ドラム８０周面への固定が解除されつつ、印刷版１２が回転ドラム８０から排版ガイド７４へ排出される。その後、搬送ガイドユニット７０が回動されて排版ガイド７４から印刷版１２が排出されることで、印刷版１２が次工程の現像装置へ搬送される。
【００５５】
ところで、枚葉搬送部１４では、上述の如く吸着パッド２４が合紙２０を吸着する際に、合紙２０の吸着パッド２４による吸着部分に吸着パッド２４の穿孔針３０によって貫通孔３６が形成されることで、貫通孔３６を介して合紙２０を空気が通過可能になる。このため、合紙２０がもともと空気を通過させないもの（通気性がないものまたは通気性が極度に悪いもの）であっても、貫通孔８６を介して合紙２０を空気が通過でき、これにより、吸着パッド２４が、合紙２０のみならず、合紙２０の下層の印刷版１２（合紙２０の反吸着パッド２４側の印刷版１２）をも確実に吸着することができる。したがって、印刷版１２を吸着して持ち上げ搬送するのに必要な吸着力を印刷版１２に発生させることができ、これにより、吸着パッド２４が、印刷版１２を持ち上げることができると共に、印刷版１２を持ち上げ搬送する途中で落下させてしまうことを防止できる。
【００５６】
さらに、穿孔針３０によって合紙２０に貫通孔３６が形成される際には、穿孔針３０の基端に設けられたストッパ部材３２の下面が合紙２０の上面に当接することで、穿孔針３０の先端が合紙２０の下面から突き出ることが抑制されるため、穿孔針８０が印刷版１２に損傷を与えることを抑制できる。
【００５７】
また、本実施の形態では、カセット１６に印刷版１２が画像記録面１２Ｂ（表面）を下向きとされた状態で収容されているため、印刷版１２の吸着パッド２４に吸着（吸引）される面（上面）は、反画像記録面１２Ｂ側の面（裏面）である。このため、仮に穿孔針３０が印刷版１２に損傷を与えたとしても、この損傷が僅かであれば、印刷版１２の品質上問題となることはない。
【００５８】
さらに、ストッパ部材３２が合紙２０への当接面（下面）全体に細かい凹凸を有している。このため、本実施の形態の如く吸着パッド２４が合紙２０を吸着する際にストッパ部材３２が合紙２０に当接する場合でも、ストッパ部材３２と合紙２０との間に隙間が存在する。これにより、吸着パッド２４により吸引される合紙２０の面積がストッパ部材３２によって減少することを抑制できて、吸着パッド２４の吸着力がストッパ部材３２によって弱められることを抑制でき、したがって、吸着パッド２４が合紙２０及び印刷版１２を二重吸着するために必要な合紙２０の必要吸引面積を確保することができる。
【００５９】
なお、本実施の形態では、吸着パッド２４に穿孔針３０及びストッパ部材３２を設けた構成としたが、吸着パッド（吸着部材）とは別の穿孔機構（孔形成手段）に穿孔針を設けて、吸着パッドが合紙（吸着対象）を吸着する前に、少なくとも合紙の吸着パッドによる吸着部分に穿孔針が貫通孔（孔）を形成する構成としてもよい。さらにこの場合、穿孔機構にストッパ部材（当接部材）を設けた構成としてもよい。
【００６０】
また、本実施の形態では、カセット１６に印刷版１２が画像記録面１２Ｂを下向きとされた状態で収容されると共に印刷版１２の直上に合紙２０が配設されることで、合紙２０が直上の印刷版１２の画像記録面１２Ｂを保護する構成としたが、カセットに印刷版（追加吸着対象）が画像記録面（表面）を上向きとされた状態で収容されると共に印刷版の直上に合紙（吸着対象）が配設されることで、合紙が直下の印刷版の画像記録面を保護する構成としてもよい。
【図面の簡単な説明】
【００６１】
【図１】本発明の実施の形態に係る印刷版自動露光装置における吸着パッドを示す断面図である。
【図２】本発明の実施の形態に係る印刷版自動露光装置を示す概略的な側面図である。
【図３】本発明の実施の形態に係る印刷版自動露光装置におけるカセット内での印刷板及び合紙の収容状況を示す断面図である。
【符号の説明】
【００６２】
１０    印刷版自動露光装置
１２    印刷版（追加吸着対象）
２０    合紙（吸着対象）
２４    吸着パッド（吸着部材）
３０    穿孔針（孔形成手段）
３２    ストッパ部材（当接部材）
３６    貫通孔（孔）
【図１】
2005138255.tif 000003
【図２】
2005138255.tif 000004
【図３】
2005138255.tif 000005